(57)【要約】【課題】  この考案は、リングゲージを持つ必要が無く、両手が常時使用出来て作業性が良く、短時間で高精度・高品質のリング製作が可能な台座付縦型リングゲージを開発・提供するものである。【解決手段】  この考案は縦型リングゲージ棒と、該縦型リングゲージ棒の中心下部に設けた係止穴部に台座の係止部を嵌挿し、組み合わせて構成され、且つ、該縦型リングゲージ棒は、所定長さを有し、且つ、上端部から下端部に向けて末広がりに拡大する截頭円錐状に形成し、且つ、該縦型リングゲージ外周面の上下方向に向けて、所定間隔毎に、複数の位置表示部と、各ゲージの外形寸法に適合した複数の号サイズ番号の数字刻印を、打刻して設け、且つ、該台座は、板状の台座本体中心部に棒状の係止部を垂直方向に立設して設けたものである。【選択図】  図４
0003102923.tif 000002
【実用新案登録請求の範囲】
【請求項１】
縦型リングゲージ棒を台座に係止して固定し、指輪等の内径寸法を測定する台座付縦型リングゲージであって、該縦型リングゲージ棒（１）は、所定長さ（Ｌ）を有し、且つ、上端部から下端部に向けて末広がりに拡大する截頭円錐形状に形成し、且つ、外周面の上下方向に向けて、所定間隔（Ｐ）毎に、複数のゲージ測定位置を表す外周平行線部（１ｂ）と、各ゲージの外形寸法（ｄｎ）に適合した複数の号サイズ番号表示部（１ｃ）を設け、且つ、中心下部に係止穴部（１ａ）を設け、且つ、該台座（２）は、板状の台座本体（２ａ）中心部に回転不能な係止部（２ｂ）を垂直方向に立設して設けた事を特徴とする台座付縦型リングゲージ。
【請求項２】
縦型リングゲージ棒と、アタッチメントと、台座を組み合わせて成る台座付縦型リングゲージであって、該台座（２）の係止部（２ｂ）に適合する係止穴部（３ａ）と、所定長さ（ｌ３）を有する高さ調整用アタッチメント（３）を台座（２）の係止部（２ｂ）に嵌挿し、縦型リングゲージ棒（１）の取り付け高さを調整可能にした事を特徴とする請求項１記載の台座付縦型リングゲージ。
【考案の詳細な説明】
【技術分野】
【０００１】
この考案は、指輪等の内径寸法を測定する為の、台座付縦型リングゲージに関するものである。
【背景技術】
【０００２】
従来、内径寸法を測定するリングゲージ棒は、先端部が細くて、後部に向けて徐々に大きくなる截頭円錐状のゲージ部分と、後端部にほぼ棒状の握り棒の部分を設けたものを、直接手で持って使用するものが一般的であった。
【０００３】
そして、例えば指輪の内径を測定する場合は、左手に指輪を持ち、右手にリングゲージを持って指輪の内径部にゲージ部を挿入して測定していた。
【０００４】
又、この他、リングゲージには、指のサイズを測る為の樹脂製リング状の物や、リングサイズの異なったテンプレートを複数枚重ね合わせてセットにした物等が考案されている。（例えば、特許文献１〜２参照。）
【特許文献１】登録実用新案第３０９１０２７号
【特許文献２】登録実用新案第３０１８３９９号
【０００５】
上記のリングゲージは、何れも直接ゲージを手で持って使用する必要があり、作業する上で両手が使用出来ない為、作業性が非常に悪く、時間も多く掛かる等の問題があった。
【考案の開示】
【考案が解決しようとする課題】
【０００６】
そこで、この考案は上記課題を達成する為に、リングゲージを持つ必要が無く、常時両手が使用出来て作業性が良く、短時間で高精度・高品質のリング製作が可能な台座付縦型リングゲージを開発・提供するものである。
【課題を解決するための手段】
【０００７】
この課題を解決する為の手段として、この考案は縦型リングゲージ棒を台座に係止して固定し、指輪等の内径寸法を測定する台座付縦型リングゲージであって、該縦型リングゲージ棒は、所定長さを有し、且つ、上端部から下端部に向けて末広がりに拡大する截頭円錐形状に形成し、且つ、外周面の上下方向に向けて、所定間隔毎に、複数のゲージ測定位置を表す外周平行線部と、各ゲージの外形寸法に適合した複数の号サイズ番号表示部を設け、且つ、中心下部に係止穴部を設け、且つ、該台座は、板状の台座本体中心部に回転不能な係止部を垂直方向に立設して設けたものである。
【考案の効果】
【０００８】
縦型リングゲージ棒の中心下部に設けた係止穴部を、台座の係止部に嵌挿し、組み合わせる事で、常時、ゲージが直立状態に保持出来る為、両手が使用出来て作業性が良く、短時間で高精度・高品質のリング製作が可能となる。
【０００９】
又、台座の係止部に高さ調整用アタッチメントを嵌挿し、その上部に縦型リングゲージ棒を嵌挿して使用する事で、ゲージの下方にあるサイズの物でも作業のし易い高さに調整出来る等、極めて有益なる効果を奏するものである。
【考案を実施するための最良の形態】
【００１０】
そこで、この考案の最良の形態は、縦型リングゲージ棒と台座を組み合わせ、且つ、該縦型リングゲージ棒の取り付け高さを任意に調整可能にする調整手段を設けると、より作業性が改善されるが、コストアップの要因にも繋がる為、コストや品質・機能や納期等の総合的な判断が必要となる。
【実施例１】
【００１１】
そこで、この考案の一実施例を図１〜図４に従って詳述すると、縦型リングゲージ棒（１）は、所定長さ（Ｌ）を有し、且つ、上端部から下端部に向けて末広がりに拡大する截頭円錐形状に形成し、且つ、外周面の上下方向に向けて、所定間隔（Ｐ）毎に、複数のゲージ測定位置を表す外周平行線部（１ｂ）と、各ゲージの外形寸法（ｄｎ）に適合した複数の号サイズ番号表示部（１ｃ）を設け、且つ、中心下部に係止穴部（１ａ）を設け、且つ、該台座（２）は、板状の台座本体（２ａ）中心部に回転不能な係止部（２ｂ）を垂直方向に立設して設けた事を特徴とする台座付縦型リングゲージから構成される。
【００１２】
次に、この考案の材質及び詳細寸法について説明すると、縦型リングゲージ棒（１）は材質がアルミ製で、先端部の外形寸法がφ１４ｍｍで、後端部の外形寸法が約φ２０ｍｍで、全長が約１５０ｍｍの截頭円錐形状に形成され、先端部から後端部にかけて８ｍｍ等間隔に外周平行線部（１ｂ）を17箇所程記して設け、且つ、該外周平行線部（１ｂ）の中央部には、各ゲージの外形寸法（ｄ）に適合した４５〜６１の複数の号サイズ番号の表示部（１ｃ）を設けている。そして、縦型リングゲージ棒の後端中心部には、一辺の長さ寸法（Ｂ１）が７ｍｍの正四角形状で深さ寸法（ｌ１）が４５ｍｍの係止穴部（１ａ）を設けている。
【００１３】
そして、台座（２）の材質は樹脂製で、板厚寸法（Ｔ）が１２ｍｍで、直径寸法（Ｄ）φ９５ｍｍの円板状の中心部に、一辺の長さ寸法（Ｂ２）が６．５ｍｍの正四角形状をし、長さ寸法（ｌ２）が７５ｍｍの棒状の樹脂製係止部（２ｂ）を垂直方向に立設している。
【００１４】
又、図４は参考資料を示し、縦型リングゲージ棒の正面図と号数別直径の一覧表を示すものである。
【実施例２】
【００１５】
又、この他の実施例として、縦型リングゲージ棒と、アタッチメントと、台座を組み合わせて成る台座付縦型リングゲージであって、該台座（２）の係止部（２ｂ）に適合する係止穴部（３ａ）と、所定長さ（ｌ３）を有する高さ調整用アタッチメント（３）を台座（２）の係止部（２ｂ）に嵌挿し、縦型リングゲージ棒（１）の取り付け高さを調整可能にした事を特徴とする台座付縦型リングゲージから構成される。
【００１６】
そして、上記高さ調整用アタッチメント（３）の材質及び寸法形状について説明すると、まず、材質は樹脂製で、台座の係止部（２ｂ）に適合するアタッチメントの係止穴部（３ａ）の一辺の長さ寸法（Ｂ３）が６．５ｍｍと、外形寸法の一辺が７．０ｍｍの正四角形状で、全長寸法（ｌ３）が５０ｍｍの角筒形状に形成されている。
【００１７】
このアタッチメント（３）を台座の係止部（２ｂ）に嵌挿して使用すると、通常のアタッチメント無しの場合に比較し、２０ｍｍ程高い位置で固定できる為、作業状態に応じて適宜使用する。
【産業上の利用可能性】
【００１８】
この考案の台座付縦型リングゲージは、縦型リングゲージ棒の中心下部に設けた係止穴部を、台座の係止部に嵌挿し、組み合わせる事で、常時、ゲージが直立状態に保持出来る為、両手が使用出来て作業性が良く、短時間で高精度・高品質のリング製作が可能となり、又、高さ調整用アタッチメントを併用すれば高さ調整も出来る為、一段と作業性が良く成り、広範囲の市場に寄与する点で産業上の利用可能性を有する。
【図面の簡単な説明】
【００１９】
【図１】この考案の一実施例を示し、縦型リングゲージの正面図である。
【図２】この考案の一実施例を示し、図１の一部欠截ａ部拡大詳細図である。
【図３】この考案の一実施例を示し、（Ａ）は台座の斜視図で、（Ｂ）はアタッチメントの斜視図である。
【図４】この考案の参考資料図を示し、リングゲージの正面図とリングゲージの号数別直径一覧表を示す図面である。
【図５】この考案の使用例を示し、通常使用時の斜視図である。
【図６】この考案の使用例を示し、アタッチメントを嵌挿して高さ調整（高く）した時の斜視図である。
【図７】この考案の従来例を示し、縦型リングゲージの正面図である。
【符号の説明】
【００２０】
１  縦型リングゲージ棒
１ａ  係止穴部
１ｂ  外周平行線部
１ｃ  号サイズ番号表示部
２  台座
２ａ  台座本体
２ｂ  係止部
３  アタッチメント
３ａ  係止穴部
Ｂ１  一辺の長さ寸法
Ｂ２  一辺の長さ寸法
Ｂ３  一辺の長さ寸法
Ｄ  直径寸法
ｄｎ  各ゲージの外形寸法
ｄ１  ゲージの外形寸法
ｄ２  ゲージの外形寸法
ｄ３  ゲージの外形寸法
ｄ４  ゲージの外形寸法
ｄ５  ゲージの外形寸法
ｄ６  ゲージの外形寸法
ｄ７  ゲージの外形寸法
ｄ８  ゲージの外形寸法
ｄ９  ゲージの外形寸法
ｄ１０  ゲージの外形寸法
ｄ１１  ゲージの外形寸法
ｄ１２  ゲージの外形寸法
Ｌ  所定長さ
ｌ１  深さ寸法
ｌ２  長さ寸法
ｌ３  全長寸法
Ｐ  所定間隔
Ｔ  板厚寸法
【図１】
0003102923.tif 000003
【図２】
0003102923.tif 000004
【図３】
0003102923.tif 000005
【図４】
0003102923.tif 000006
【図５】
0003102923.tif 000007
【図６】
0003102923.tif 000008
【図７】
0003102923.tif 000009